(57)【要約】【課題】実用的な出力電力を維持しながら、製品寿命を延長することができる固体電解質型燃料電池を提供する。【解決手段】本発明は、固体電解質型燃料電池であって、燃料電池モジュール（２）と、燃料供給手段（３８）と、酸化剤ガス供給手段（４５）と、燃料供給量を制御する制御手段（１１０）と、を有し、制御手段は、燃料電池モジュールの劣化を判定する劣化判定手段（１１０ａ）、及び、劣化判定に基づいて運転条件を補正する燃料補正手段（１１０ｂ）を備え、燃料補正手段は、定格出力電力が維持されるように燃料電池モジュールに供給する燃料供給量を増加させる増量補正モード、及び、燃料供給量が減少されるように定格出力電圧を低下させる減量補正モードを実行可能であり、さらに、補正モードを選択するためのモード選択手段（１１０ｃ）を有することを特徴としている。【選択図】図１３
2010238616.tif 000002
【特許請求の範囲】
【請求項１】
固体電解質型燃料電池であって、
複数の固体電解質型燃料電池セルを備えた燃料電池モジュールと、
この燃料電池モジュールに燃料を供給する燃料供給手段と、
上記燃料電池モジュールに酸化剤ガスを供給する酸化剤ガス供給手段と、
上記燃料供給手段から供給する燃料供給量を制御する制御手段と、を有し、
上記制御手段は、上記燃料電池モジュールの劣化を判定する劣化判定手段、及び、この劣化判定手段による劣化判定に基づいて運転条件を補正する燃料補正手段を備え、
上記燃料補正手段は、上記燃料電池モジュールが劣化したことが最初に判定されたとき、定格出力電力が維持されるように上記燃料電池モジュールに供給する燃料供給量を増加させる増量補正モード、及び、燃料供給量が減少されるように定格出力電圧を低下させる減量補正モードを実行可能であり、
さらに、上記増量補正モード又は上記減量補正モードを選択するためのモード選択手段を有することを特徴とする固体電解質型燃料電池。
【請求項２】
上記モード選択手段は、操作により上記増量補正モード又は上記減量補正モードを選択することができるモード選択用の操作装置である請求項１記載の固体電解質型燃料電池。
【請求項３】
さらに、上記燃料電池モジュールの過去の運転状態を記録する運転状態記録手段を有し、上記モード選択手段は、上記運転状態記録手段により記録された過去の運転状態に基づいて、自動的に上記増量補正モード又は上記減量補正モードを選択する請求項１記載の固体電解質型燃料電池。
【請求項４】
上記燃料補正手段は、上記増量補正モードが選択された場合において、上記燃料電池モジュールの劣化が進行し、所定の補正切替条件が満たされると、燃料供給量が減少されるように、上記燃料電池モジュールの定格出力電力を低下させる補正を実行する請求項１乃至３の何れか１項に記載の固体電解質型燃料電池。
【請求項５】
上記燃料補正手段は、上記減量補正モードが選択された場合において、上記燃料電池モジュールの劣化が進行し、所定の補正切替条件が満たされると、低下された定格出力電力を維持するように、上記燃料電池モジュールに供給する燃料供給量を増加させる補正を実行する請求項１乃至４の何れか１項に記載の固体電解質型燃料電池。
【発明の詳細な説明】
【技術分野】
【０００１】
本発明は、固体電解質型燃料電池に関し、特に、要求発電量に応じて出力電力を可変する固体電解質型燃料電池に関する。
【背景技術】
【０００２】
固体電解質型燃料電池（Solid Oxide Fuel Cell：以下「ＳＯＦＣ」とも言う）は、電解質として酸化物イオン導電性固体電解質を用い、その両側に電極を取り付け、一方の側に燃料ガスを供給し、他方の側に酸化剤（空気、酸素等）を供給して、比較的高温で動作する燃料電池である。
【０００３】
このＳＯＦＣにおいては、酸化物イオン導電性固体電解質を通過した酸素イオンと燃料との反応によって水蒸気又は二酸化炭素を生成し、電気エネルギー及び熱エネルギーが発生する。電気エネルギーは、ＳＯＦＣ外部に取り出されて、各種電気的用途に使用される。一方、熱エネルギーは、燃料、ＳＯＦＣ及び酸化剤等の温度を上昇させるために使用される。
【０００４】
また、燃料電池セルは、長期間に亘る使用により劣化していくことが知られている。特開２００７−８７７５６号公報（特許文献１）には、固体酸化物型燃料電池が記載されている。この燃料電池においては、燃料の流量を調整することにより、燃料電池セルの劣化を減少させることが記載されている。
【０００５】
さらに、特開２００３−２１７６２７号公報（特許文献２）には、燃料供給量制御装置、燃料供給量制御方法および電力供給システムが記載されている。この燃料供給量制御装置は、燃料電池セルが劣化することにより所定の燃料供給量に対して取り出すことができる電力が低下した場合には、燃料供給量を補償するように構成されている。
【先行技術文献】
【特許文献】
【０００６】
【特許文献１】特開２００７−８７７５６号公報
【特許文献２】特開２００３−２１７６２７号公報
【発明の概要】
【発明が解決しようとする課題】
【０００７】
しかしながら、特開２００３−２１７６２７号公報記載の装置のように、劣化した燃料電池セルに対し、供給量が増加するように燃料供給量を補償し、初期の発電電力と同等の出力を維持するように制御を行うと、燃料電池セルの劣化が促進されてしまい、燃料電池の製品寿命を短縮してしまうという問題がある。一方、劣化した燃料電池セルから取り出す電力を低下させるように制御を行うと、燃料電池セルの劣化の進行を抑制することはできるが、燃料電池から取り出すことができる電力は次第に減少していくので、実用的な電力を取り出し可能な期間が短くなってしまうという問題がある。
【０００８】
従って、本発明は、実用的な出力電力を維持しながら、製品寿命を延長することができる固体電解質型燃料電池を提供することを目的としている。
【課題を解決するための手段】
【０００９】
上述した課題を解決するために、本発明は、固体電解質型燃料電池であって、複数の固体電解質型燃料電池セルを備えた燃料電池モジュールと、この燃料電池モジュールに燃料を供給する燃料供給手段と、燃料電池モジュールに酸化剤ガスを供給する酸化剤ガス供給手段と、燃料供給手段から供給する燃料供給量を制御する制御手段と、を有し、制御手段は、燃料電池モジュールの劣化を判定する劣化判定手段、及び、この劣化判定手段による劣化判定に基づいて運転条件を補正する燃料補正手段を備え、燃料補正手段は、燃料電池モジュールが劣化したことが最初に判定されたとき、定格出力電力が維持されるように燃料電池モジュールに供給する燃料供給量を増加させる増量補正モード、及び、燃料供給量が減少されるように定格出力電圧を低下させる減量補正モードを実行可能であり、さらに、増量補正モード又は減量補正モードを選択するためのモード選択手段を有することを特徴としている。
【００１０】
このように構成された本発明においては、制御手段は、燃料供給手段、及び酸化剤ガス供給手段を制御して、燃料電池モジュールに燃料、及び酸化剤ガスを供給する。また、制御手段に備えられた劣化判定手段は、燃料電池モジュールの劣化を判定し、燃料補正手段は、燃料電池モジュールが劣化したことが判定されると、燃料補正を実行する。モード選択手段は、燃料補正手段が実行する燃料補正として、増量補正モード又は減量補正モードの何れかを選択する。
【００１１】
このように構成された本発明によれば、モード選択手段が増量補正モード又は減量補正モードを選択するので、燃料電池の使用状況に応じて適切な補正モードを選択することができ、これにより、実用的な出力電力を維持しながら、製品寿命を延長することができる。
【００１２】
本発明において、好ましくは、モード選択手段は、操作により増量補正モード又は減量補正モードを選択することができるモード選択用の操作装置である。
このように構成された本発明によれば、燃料電池の工場出荷時や、劣化が判定されたとき等に、予想される燃料電池の使用状況に応じて、適切な補正モードを選択することができる。
【００１３】
本発明において、好ましくは、さらに、燃料電池モジュールの過去の運転状態を記録する運転状態記録手段を有し、モード選択手段は、運転状態記録手段により記録された過去の運転状態に基づいて、自動的に増量補正モード又は減量補正モードを選択する。
【００１４】
このように構成された本発明によれば、モード選択手段が過去の運転状態に基づいて補正モードを選択するので、自動的に適切な補正モードを選択することができる。
【００１５】
本発明において、好ましくは、燃料補正手段は、増量補正モードが選択された場合において、燃料電池モジュールの劣化が進行し、所定の補正切替条件が満たされると、燃料供給量が減少されるように、燃料電池モジュールの定格出力電力を低下させる補正を実行する。
【００１６】
このように構成された本発明によれば、増量補正が実行された後、補正切替条件が満たされると、燃料電池モジュールの定格出力電力を低下させる補正が実行されるので、初期の定格出力を最大限維持した後、燃料電池モジュールの負担を軽減して、燃料電池の製品寿命を更に延長することができる。
【００１７】
本発明において、好ましくは、燃料補正手段は、減量補正モードが選択された場合において、燃料電池モジュールの劣化が進行し、所定の補正切替条件が満たされると、低下された定格出力電力を維持するように、燃料電池モジュールに供給する燃料供給量を増加させる補正を実行する。
【００１８】
このように構成された本発明によれば、減量補正が実行された後、補正切替条件が満たされると、低下された定格出力電力を維持するように燃料供給量が増加されるので、燃料電池モジュールにかかる負担を軽減して、劣化の進行を十分に抑制した上で、実用上最小限の出力電力を確保できる期間を更に延長することができる。
【発明の効果】
【００１９】
本発明の固体電解質型燃料電池によれば、実用的な出力電力を維持しながら、製品寿命を延長することができる。
【図面の簡単な説明】
【００２０】
【図１】本発明の一実施形態による固体電解質型燃料電池（ＳＯＦＣ）を示す全体構成図である。
【図２】本発明の一実施形態による固体電解質型燃料電池（ＳＯＦＣ）の燃料電池モジュールを示す正面断面図である。
【図３】図２のIII-III線に沿って断面図である。
【図４】本発明の一実施形態による固体電解質型燃料電池（ＳＯＦＣ）の燃料電池セル単体を示す部分断面図である。
【図５】本発明の一実施形態による固体電解質型燃料電池（ＳＯＦＣ）の燃料電池セルスタックを示す斜視図である。
【図６】本発明の一実施形態による固体電解質型燃料電池（ＳＯＦＣ）を示すブロック図である。
【図７】本発明の一実施形態による固体電解質型燃料電池（ＳＯＦＣ）の起動時の動作を示すタイムチャートである。
【図８】本発明の一実施形態による固体電解質型燃料電池（ＳＯＦＣ）の運転停止時の動作を示すタイムチャートである。
【図９】本発明の一実施形態による固体電解質型燃料電池における劣化判定を説明するタイムチャートである。
【図１０】制御部に入力される要求発電量と、要求発電量を生成するために必要な燃料供給量の関係の一例を示すグラフである。
【図１１】要求発電量の変更に対する燃料供給量の時間的変化の一例を示すグラフである。
【図１２】劣化判定手段による劣化判定の手順を示すフローチャートである。
【図１３】約１年間に亘る固体電解質型燃料電池の運転履歴を模式的に表したタイムチャートである。
【図１４】約１年間に亘る固体電解質型燃料電池の運転履歴を模式的に表したタイムチャートである。
【図１５】モード選択手段により減量補正モードが選択された場合における固体電解質型燃料電池の作用の一例を示すタイムチャートである。
【図１６】減量補正モードによる燃料補正処理のフローチャートである。
【図１７】モード選択手段により増量補正モードが選択された場合における固体電解質型燃料電池の作用の一例を示すタイムチャートである。
【図１８】増量補正モードによる燃料補正処理のフローチャートである。
【図１９】変形例において、モード選択手段による補正モードの選択を示すタイムチャートである。
【発明を実施するための形態】
【００２１】
次に、添付図面を参照して、本発明の実施形態による固体電解質型燃料電池（ＳＯＦＣ）を説明する。
図１は、本発明の一実施形態による固体電解質型燃料電池（ＳＯＦＣ）を示す全体構成図である。この図１に示すように、本発明の一実施形態による固体電解質型燃料電池（ＳＯＦＣ）１は、燃料電池モジュール２と、補機ユニット４を備えている。
【００２２】
燃料電池モジュール２は、ハウジング６を備え、このハウジング６内部には、断熱材（図示せず但し断熱材は必須の構成ではなく、なくても良いものである。）を介して密封空間８が形成されている。なお、断熱材は設けないようにしても良い。この密閉空間８の下方部分である発電室１０には、燃料ガスと酸化剤（空気）とにより発電反応を行う燃料電池セル集合体１２が配置されている。この燃料電池セル集合体１２は、１０個の燃料電池セルスタック１４（図５参照）を備え、この燃料電池セルスタック１４は、１６本の燃料電池セルユニット１６（図４参照）から構成されている。このように、燃料電池セル集合体１２は、１６０本の燃料電池セルユニット１６を有し、これらの燃料電池セルユニット１６の全てが直列接続されている。
【００２３】
燃料電池モジュール２の密封空間８の上述した発電室１０の上方には、燃焼室１８が形成され、この燃焼室１８で、発電反応に使用されなかった残余の燃料ガスと残余の酸化剤（空気）とが燃焼し、排気ガスを生成するようになっている。
また、この燃焼室１８の上方には、燃料ガスを改質する改質器２０が配置され、前記残余ガスの燃焼熱によって改質器２０を改質反応が可能な温度となるように加熱している。さらに、この改質器２０の上方には、燃焼熱を受けて空気を加熱するための空気用熱交換器２２が配置されている。
【００２４】
次に、補機ユニット４は、水道等の水供給源２４からの水を貯水してフィルターにより純水とする純水タンク２６と、この貯水タンクから供給される水の流量を調整する水流量調整ユニット２８（モータで駆動される「水ポンプ」等）を備えている。また、補機ユニット４は、都市ガス等の燃料供給源３０から供給された燃料ガスを遮断するガス遮断弁３２と、燃料ガスから硫黄を除去するための脱硫器３６と、燃料ガスの流量を調整する燃料流量調整ユニット３８（モータで駆動される「燃料ポンプ」等）を備えている。さらに、補機ユニット４は、空気供給源４０から供給される酸化剤である空気を遮断する電磁弁４２と、空気の流量を調整する改質用空気流量調整ユニット４４及び発電用空気流量調整ユニット４５（モータで駆動される「空気ブロア」等）と、改質器２０に供給される改質用空気を加熱する第１ヒータ４６と、発電室に供給される発電用空気を加熱する第２ヒータ４８とを備えている。これらの第１ヒータ４６と第２ヒータ４８は、起動時の昇温を効率よく行うために設けられているが、省略しても良い。
【００２５】
次に、燃料電池モジュール２には、排気ガスが供給される温水製造装置５０が接続されている。この温水製造装置５０には、水供給源２４から水道水が供給され、この水道水が排気ガスの熱により温水となり、図示しない外部の給湯器の貯湯タンクへ供給されるようになっている。
また、燃料電池モジュール２には、燃料ガスの供給量等を制御するための制御ボックス５２が取り付けられている。
さらに、燃料電池モジュール２には、燃料電池モジュールにより発電された電力を外部に供給するための電力取出部（電力変換部）であるインバータ５４が接続されている。
【００２６】
次に、図２及び図３により、本発明の実施形態による固体電解質型燃料電池（ＳＯＦＣ）の燃料電池モジュールの内部構造を説明する。図２は、本発明の一実施形態による固体電解質型燃料電池（ＳＯＦＣ）の燃料電池モジュールを示す側面断面図であり、図３は、図２のIII-III線に沿って断面図である。
図２及び図３に示すように、燃料電池モジュール２のハウジング６内の密閉空間８には、上述したように、下方から順に、燃料電池セル集合体１２、改質器２０、空気用熱交換器２２が配置されている。
【００２７】
改質器２０は、その上流端側に純水を導入するための純水導入管６０と改質される燃料ガスと改質用空気を導入するための被改質ガス導入管６２が取り付けられ、また、改質器２０の内部には、上流側から順に、蒸発部２０ａと改質部２０ｂを形成され、改質部２０ｂには改質触媒が充填されている。この改質器２０に導入された水蒸気（純水）が混合された燃料ガス及び空気は、改質器２０内に充填された改質触媒により改質される。改質触媒としては、アルミナの球体表面にニッケルを付与したものや、アルミナの球体表面にルテニウムを付与したものが適宜用いられる。
【００２８】
この改質器２０の下流端側には、燃料ガス供給管６４が接続され、この燃料ガス供給管６４は、下方に延び、さらに、燃料電池セル集合体１２の下方に形成されたマニホールド６６内で水平に延びている。燃料ガス供給管６４の水平部６４ａの下方面には、複数の燃料供給孔６４ｂが形成されており、この燃料供給孔６４ｂから、改質された燃料ガスがマニホールド６６内に供給される。
【００２９】
このマニホールド６６の上方には、上述した燃料電池セルスタック１４を支持するための貫通孔を備えた下支持板６８が取り付けられており、マニホールド６６内の燃料ガスが、燃料電池セルユニット１６内に供給される。
【００３０】
次に、改質器２０の上方には、空気用熱交換器２２が設けられている。この空気用熱交換器２２は、上流側に空気集約室７０、下流側に２つの空気分配室７２を備え、これらの空気集約室７０と空気分配室７２は、６個の空気流路管７４により接続されている。ここで、図３に示すように、３個の空気流路管７４が一組（７４ａ，７４ｂ，７４ｃ，７４ｄ，７４ｅ，７４ｆ）となっており、空気集約室７０内の空気が各組の空気流路管７４からそれぞれの空気分配室７２へ流入する。
【００３１】
空気用熱交換器２２の６個の空気流路管７４内を流れる空気は、燃焼室１８で燃焼して上昇する排気ガスにより予熱される。
空気分配室７２のそれぞれには、空気導入管７６が接続され、この空気導入管７６は、下方に延び、その下端側が、発電室１０の下方空間に連通し、発電室１０に余熱された空気を導入する。
【００３２】
次に、マニホールド６６の下方には、排気ガス室７８が形成されている。また、図３に示すように、ハウジング６の長手方向に沿った面である前面６ａと後面６ｂの内側には、上下方向に延びる排気ガス通路８０が形成され、この排気ガス室通路８０の上端側は、空気用熱交換器２２が配置された空間と連通し、下端側は、排気ガス室７８と連通している。また、排気ガス室７８の下面のほぼ中央には、排気ガス排出管８２が接続され、この排気ガス排出管８２の下流端は、図１に示す上述した温水製造装置５０に接続されている。
図２に示すように、燃料ガスと空気との燃焼を開始するための点火装置８３が、燃焼室１８に設けられている。
【００３３】
次に図４により燃料電池セルユニット１６について説明する。図４は、本発明の一実施形態による固体電解質型燃料電池（ＳＯＦＣ）の燃料電池セルユニットを示す部分断面図である。
図４に示すように、燃料電池セルユニット１６は、燃料電池セル８４と、この燃料電池セル８４の上下方向端部にそれぞれ接続された内側電極端子８６とを備えている。
燃料電池セル８４は、上下方向に延びる管状構造体であり、内部に燃料ガス流路８８を形成する円筒形の内側電極層９０と、円筒形の外側電極層９２と、内側電極層９０と外側電極層９２との間にある電解質層９４とを備えている。この内側電極層９０は、燃料ガスが通過する燃料極であり、（−）極となり、一方、外側電極層９２は、空気と接触する空気極であり、（＋）極となっている。
【００３４】
燃料電池セル１６の上端側と下端側に取り付けられた内側電極端子８６は、同一構造であるため、ここでは、上端側に取り付けられた内側電極端子８６について具体的に説明する。内側電極層９０の上部９０ａは、電解質層９４と外側電極層９２に対して露出された外周面９０ｂと上端面９０ｃとを備えている。内側電極端子８６は、導電性のシール材９６を介して内側電極層９０の外周面９０ｂと接続され、さらに、内側電極層９０の上端面９０ｃとは直接接触することにより、内側電極層９０と電気的に接続されている。内側電極端子８６の中心部には、内側電極層９０の燃料ガス流路８８と連通する燃料ガス流路９８が形成されている。
【００３５】
内側電極層９０は、例えば、Ｎｉと、ＣａやＹ、Ｓｃ等の希土類元素から選ばれる少なくとも一種をドープしたジルコニアとの混合体、Ｎｉと、希土類元素から選ばれる少なくとも一種をドープしたセリアとの混合体、Ｎｉと、Ｓｒ、Ｍｇ、Ｃｏ、Ｆｅ、Ｃｕから選ばれる少なくとも一種をドープしたランタンガレードとの混合体、の少なくとも一種から形成される。
【００３６】
電解質層９４は、例えば、Ｙ、Ｓｃ等の希土類元素から選ばれる少なくとも一種をドープしたジルコニア、希土類元素から選ばれる少なくとも一種をドープしたセリア、Ｓｒ、Ｍｇから選ばれる少なくとも一種をドープしたランタンガレート、の少なくとも一種から形成される。
【００３７】
外側電極層９２は、例えば、Ｓｒ、Ｃａから選ばれた少なくとも一種をドープしたランタンマンガナイト、Ｓｒ、Ｃｏ、Ｎｉ、Ｃｕから選ばれた少なくとも一種をドープしたランタンフェライト、Ｓｒ、Ｆｅ、Ｎｉ、Ｃｕから選ばれた少なくとも一種をドープしたランタンコバルタイト、銀、などの少なくとも一種から形成される。
【００３８】
次に図５により燃料電池セルスタック１４について説明する。図５は、本発明の一実施形態による固体電解質型燃料電池（ＳＯＦＣ）の燃料電池セルスタックを示す斜視図である。
図５に示すように、燃料電池セルスタック１４は、１６本の燃料電池セルユニット１６を備え、これらの燃料電池セルユニット１６の下端側及び上端側が、それぞれ、セラミック製の下支持板６８及び上支持板１００により支持されている。これらの下支持板６８及び上支持板１００には、内側電極端子８６が貫通可能な貫通穴６８ａ及び１００ａがそれぞれ形成されている。
【００３９】
さらに、燃料電池セルユニット１６には、集電体１０２及び外部端子１０４が取り付けられている。この集電体１０２は、燃料極である内側電極層９０に取り付けられた内側電極端子８６と電気的に接続される燃料極用接続部１０２ａと、空気極である外側電極層９２の外周面全体と電気的に接続される空気極用接続部１０２ｂとにより一体的に形成されている。空気極用接続部１０２ｂは、外側電極層９２の表面を上下方向に延びる鉛直部１０２ｃと、この鉛直部１０２ｃから外側電極層９２の表面に沿って水平方向に延びる多数の水平部１０２ｄとから形成されている。また、燃料極用接続部１０２ａは、空気極用接続部１０２ｂの鉛直部１０２ｃから燃料電池セルユニット１６の上下方向に位置する内側電極端子８６に向って斜め上方又は斜め下方に向って直線的に延びている。
【００４０】
さらに、燃料電池セルスタック１４の端（図５では左端の奥側及び手前側）に位置する２個の燃料電池セルユニット１６の上側端及び下側端の内側電極端子８６には、それぞれ外部端子１０４が接続されている。これらの外部端子１０４は、隣接する燃料電池セルスタック１４の端にある燃料電池セルユニット１６の外部端子１０４（図示せず）に接続され、上述したように、１６０本の燃料電池セルユニット１６の全てが直列接続されるようになっている。
【００４１】
次に図６により本実施形態による固体電解質型燃料電池（ＳＯＦＣ）に取り付けられたセンサ類等について説明する。図６は、本発明の一実施形態による固体電解質型燃料電池（ＳＯＦＣ）を示すブロック図である。
図６に示すように、固体電解質型燃料電池１は、制御部１１０を備え、この制御部１１０には、使用者が操作するための「ＯＮ」や「ＯＦＦ」等の操作ボタンを備えた操作装置１１２、発電出力値（ワット数）等の種々のデータを表示するための表示装置１１４、及び、異常状態のとき等に警報（ワーニング）を発する報知装置１１６が接続されている。なお、この報知装置１１６は、遠隔地にある管理センタに接続され、この管理センタに異常状態を通知するようなものであっても良い。
【００４２】
次に、制御部１１０には、以下に説明する種々のセンサからの信号が入力されるようになっている。
先ず、可燃ガス検出センサ１２０は、ガス漏れを検知するためのもので、燃料電池モジュール２及び補機ユニット４に取り付けられている。
ＣＯ検出センサ１２２は、本来排気ガス通路８０等を経て外部に排出される排気ガス中のＣＯが、燃料電池モジュール２及び補機ユニット４を覆う外部ハウジング（図示せず）へ漏れたかどうかを検知するためのものである。
貯湯状態検出センサ１２４は、図示しない給湯器におけるお湯の温度や水量を検知するためのものである。
【００４３】
電力状態検出センサ１２６は、インバータ５４及び分電盤（図示せず）の電流及び電圧等を検知するためのものである。
発電用空気流量検出センサ１２８は、発電室１０に供給される発電用空気の流量を検出するためのものである。
改質用空気流量センサ１３０は、改質器２０に供給される改質用空気の流量を検出するためのものである。
燃料流量センサ１３２は、改質器２０に供給される燃料ガスの流量を検出するためのものである。
【００４４】
水流量センサ１３４は、改質器２０に供給される純水（水蒸気）の流量を検出するためのものである。
水位センサ１３６は、純水タンク２６の水位を検出するためのものである。
圧力センサ１３８は、改質器２０の外部の上流側の圧力を検出するためのものである。
排気温度センサ１４０は、温水製造装置５０に流入する排気ガスの温度を検出するためのものである。
【００４５】
発電室温度センサ１４２は、図３に示すように、燃料電池セル集合体１２の近傍の前面側と背面側に設けられ、燃料電池セルスタック１４の近傍の温度を検出して、燃料電池セルスタック１４（即ち燃料電池セル８４自体）の温度を推定するためのものである。
燃焼室温度センサ１４４は、燃焼室１８の温度を検出するためのものである。
排気ガス室温度センサ１４６は、排気ガス室７８の排気ガスの温度を検出するためのものである。
改質器温度センサ１４８は、改質器２０の温度を検出するためのものであり、改質器２０の入口温度と出口温度から改質器２０の温度を算出する。
外気温度センサ１５０は、固体電解質型燃料電池（ＳＯＦＣ）が屋外に配置された場合、外気の温度を検出するためのものである。また、外気の湿度等を測定するセンサを設けるようにしても良い。
【００４６】
これらのセンサ類からの信号は、制御部１１０に送られ、制御部１１０は、これらの信号によるデータに基づき、水流量調整ユニット２８、燃料流量調整ユニット３８、改質用空気流量調整ユニット４４、発電用空気流量調整ユニット４５に、制御信号を送り、これらのユニットにおける各流量を制御するようになっている。
また、制御ユニット１１０は、インバータ５４に、制御信号を送り、電力供給量を制御するようになっている。
【００４７】
次に図７により本実施形態による固体電解質型燃料電池（ＳＯＦＣ）による起動時の動作を説明する。図７は、本発明の一実施形態による固体電解質型燃料電池（ＳＯＦＣ）の起動時の動作を示すタイムチャートである。
最初は、燃料電池モジュール２を温めるために、無負荷状態で、即ち、燃料電池モジュール２を含む回路を開いた状態で、運転を開始する。このとき、回路に電流が流れないので、燃料電池モジュール２は発電を行わない。
【００４８】
先ず、改質用空気流量調整ユニット４４から改質用空気を第１ヒータ４６を経由して燃料電池モジュール２の改質器２０へ供給する。また、同時に、発電用空気流量調整ユニット４５から発電用空気を第２ヒータ４８を経由して燃料電池モジュール２の空気用熱交換器２２へ供給し、この発電用空気が、発電室１０及び燃焼室１８に到達する。
この直ぐ後、燃料流量調整ユニット３８からも燃料ガスが供給され、改質用空気が混合された燃料ガスが、改質器２０及び燃料電池セルスタック１４、燃料電池セルユニット１６を通過して、燃焼室１８に到達する。
【００４９】
次に、点火装置８３により着火して、燃焼室１８にある燃料ガスと空気（改質用空気及び発電用空気）とを燃焼させる。この燃料ガスと空気との燃焼により排気ガスが生じ、この排気ガスにより、発電室１０が暖められ、また、排気ガスが燃料電池モジュール２の密封空間８内を上昇する際、改質器２０内の改質用空気を含む燃料ガスを暖めると共に、空気熱交換器２２内の発電用空気も暖める。
【００５０】
このとき、燃料流量調整ユニット３８及び改質用空気流量調整ユニット４４により、改質用空気が混合された燃料ガスが改質器２０に供給されているので、改質器２０において、式（１）に示す部分酸化改質反応ＰＯＸが進行する。この部分酸化改質反応ＰＯＸは、発熱反応であるので、起動性が良好となる。また、この昇温した燃料ガスが燃料ガス供給管６４により燃料電池セルスタック１４の下方に供給され、これにより、燃料電池セルスタック１４が下方から加熱され、また、燃焼室１８も燃料ガスと空気が燃焼して昇温されているので、燃料電池セルスタック１４は、上方からも加熱され、この結果、燃料電池セルスタック１４は、上下方向において、ほぼ均等に昇温可能となっている。この部分酸化改質反応ＰＯＸが進行しても、燃焼室１８では継続して燃料ガスと空気との燃焼反応が持続される。
【００５１】
ＣmＨn＋ｘＯ2  →  aＣＯ2＋ｂＣＯ＋ｃＨ2                （１）
【００５２】
部分酸化改質反応ＰＯＸの開始後、改質器温度センサ１４８により改質器２０が所定温度（例えば、６００℃）になったことを検知したとき、水流量調整ユニット２８、燃料流量調整ユニット３８及び改質用空気流量調整ユニット４４により、燃料ガスと改質用空気と水蒸気とを予め混合したガスを改質器２０に供給する。このとき、改質器２０においては、上述した部分酸化改質反応ＰＯＸと後述する水蒸気改質反応ＳＲとが併用されたオートサーマル改質反応ＡＴＲが進行する。このオートサーマル改質反応ＡＴＲは、熱的に内部バランスが取れるので、改質器２０内では熱的に自立した状態で反応が進行する。即ち、酸素（空気）が多い場合には部分酸化改質反応ＰＯＸによる発熱が支配的となり、水蒸気が多い場合には水蒸気改質反応ＳＲによる吸熱反応が支配的となる。この段階では、既に起動の初期段階は過ぎており、発電室１０内がある程度の温度まで昇温されているので、吸熱反応が支配的であっても大幅な温度低下を引き起こすことはない。また、オートサーマル改質反応ＡＴＲが進行中も、燃焼室１８では燃焼反応が継続して行われている。
【００５３】
式（２）に示すオートサーマル改質反応ＡＴＲの開始後、改質器温度センサ１４６により改質器２０が所定温度（例えば、７００℃）になったことを検知したとき、改質用空気流量調整ユニット４４による改質用空気の供給を停止すると共に、水流量調整ユニット２８による水蒸気の供給を増加させる。これにより、改質器２０には、空気を含まず燃料ガスと水蒸気のみを含むガスが供給され、改質器２０において、式（３）の水蒸気改質反応ＳＲが進行する。
【００５４】
ＣmＨn＋ｘＯ2＋ｙＨ2Ｏ  →  aＣＯ2＋ｂＣＯ＋ｃＨ2       （２）
ＣmＨn＋ｘＨ2Ｏ  →  aＣＯ2＋ｂＣＯ＋ｃＨ2              （３）
【００５５】
この水蒸気改質反応ＳＲは吸熱反応であるので、燃焼室１８からの燃焼熱と熱バランスをとりながら反応が進行する。この段階では、燃料電池モジュール２の起動の最終段階であるため、発電室１０内が十分高温に昇温されているので、吸熱反応が進行しても、発電室１０が大幅な温度低下を招くこともない。また、水蒸気改質反応ＳＲが進行しても、燃焼室１８では継続して燃焼反応が進行する。
【００５６】
このようにして、燃料電池モジュール２は、点火装置８３により点火した後、部分酸化改質反応ＰＯＸ、オートサーマル改質反応ＡＴＲ、水蒸気改質反応ＳＲが、順次進行することにより、発電室１０内の温度が徐々に上昇する。次に、発電室１０内及び燃料電池セル８４の温度が燃料電池モジュール２を安定的に作動させる定格温度よりも低い所定の発電温度に達したら、燃料電池モジュール２を含む回路を閉じ、燃料電池モジュール２による発電を開始し、それにより、回路に電流が流れる。燃料電池モジュール２の発電により、燃料電池セル８４自体も発熱し、燃料電池セル８４の温度も上昇する。この結果、燃料電池モジュール２を作動させる定格定格温度、例えば、６００℃〜８００℃になる。
【００５７】
この後、定格温度を維持するために、燃料電池セル８４で消費される燃料ガス及び空気の量よりも多い燃料ガス及び空気を供給し、燃焼室１８での燃焼を継続させる。なお、発電中は、改質効率の高い水蒸気改質反応ＳＲで発電が進行する。
【００５８】
次に、図８により本実施形態による固体電解質型燃料電池（ＳＯＦＣ）の運転停止時の動作を説明する。図８は、本実施形態により固体電解質型燃料電池（ＳＯＦＣ）の運転停止時の動作を示すタイムチャートである。
図８に示すように、燃料電池モジュール２の運転停止を行う場合には、先ず、燃料流量調整ユニット３８及び水流量調整ユニット２８を操作して、燃料ガス及び水蒸気の改質器２０への供給量を減少させる。
【００５９】
また、燃料電池モジュール２の運転停止を行う場合には、燃料ガス及び水蒸気の改質器２０への供給量を減少させると同時に、改質用空気流量調整ユニット４４による発電用空気の燃料電池モジュール２内への供給量を増大させて、燃料電池セル集合体１２及び改質器２０を空気により冷却し、これらの温度を低下させる。その後、発電室の温度が所定温度、例えば、４００℃まで低下したとき、燃料ガス及び水蒸気の改質器２０への供給を停止し、改質器２０の水蒸気改質反応ＳＲを終了する。この発電用空気の供給は、改質器２０の温度が所定温度、例えば、２００℃まで低下するまで、継続し、この所定温度となったとき、発電用空気流量調整ユニット４５からの発電用空気の供給を停止する。
【００６０】
このように、本実施形態においては、燃料電池モジュール２の運転停止を行うとき、改質器２０による水蒸気改質反応ＳＲと発電用空気による冷却とを併用しているので、比較的短時間に、燃料電池モジュールの運転を停止させることができる。
【００６１】
次に、図９乃至１４を参照して、本発明の実施形態による固体電解質型燃料電池１の作用を説明する。
まず、図９乃至１２を参照して、固体電解質型燃料電池１の負荷追従運転及び燃料電池モジュール２の劣化判定を説明する。
図９は、本実施形態の固体電解質型燃料電池における劣化判定を説明するタイムチャートである。図１０は、制御部１１０に入力される要求発電量と、要求発電量を生成するために必要な燃料供給量の関係の一例を示すグラフである。図１１は、要求発電量の変更に対する燃料供給量の時間的変化の一例を示すグラフである。図１２は、劣化判定手段による劣化判定の手順を示すフローチャートである。
【００６２】
図９の時刻ｔ０〜ｔ１においては、固体電解質型燃料電池１は、インバータ５４（図６）からの要求発電量に応じた出力電力が得られるように負荷追従運転を行っている。即ち、図６に示すように、制御手段である制御部１１０は、インバータ５４からの要求発電量に応じて、燃料供給手段である燃料流量調整ユニット３８、酸化剤ガス供給手段である改質用空気流量調整ユニット４４、及び水供給手段である水流量調整ユニット２８に信号を送り、必要な流量の燃料、空気、水を燃料電池モジュール２に供給している。これにより、図９に示すように、インバータ５４からの要求発電量に追従するように固体電解質型燃料電池１の出力電力が変化する。ここで、燃料供給量等に対する出力電力の応答には遅れをもたせており、燃料供給量等の変化に対して出力電力は遅れて変化し、要求発電量の急激な変化に対しては、出力電力は殆ど変化しない。
【００６３】
制御部１１０は、インバータ５４からの要求発電量に応じて、図１０に一例を示すグラフによって燃料供給量を決定し、決定した流量の燃料が燃料電池モジュール２に供給されるように燃料流量調整ユニット３８を制御する。固体電解質型燃料電池１の初期の使用開始後、燃料電池モジュール２が劣化したことが判定されるまでの間は、制御部１１０は、図１０の曲線Ｆ０に従って、要求発電量に対する燃料供給量を決定する。図１０に示すように、燃料供給量は、要求発電量の増大に伴って単調に増加するように決定されるが、要求発電量約２００Ｗ未満では燃料供給量はほぼ一定値にされる。
【００６４】
また、要求発電量が変更された場合に、燃料供給量を急激に変化させると燃料電池モジュール２の劣化を早めることがあるので、図１１に示すように、燃料供給量は漸増又は漸減される。図１１は、要求発電量が５００Ｗから７００Ｗにステップ状に変化された場合における、燃料供給量の時間に対する変化の一例を示すグラフである。図１１に示すように、時刻ｔ１０において、要求発電量が５００Ｗから７００Ｗに変更されると、必要な燃料供給量は、５００Ｗの電力出力に対応する供給量から７００Ｗに対応する供給量に急激に変化される。これに対して、制御部１１０は、燃料供給量が急激に増加することがないよう、図１１に想像線で示すように、燃料供給量が緩やかに増加されるように燃料流量調整ユニット３８を制御する。なお、固体電解質型燃料電池１の初期の使用開始後、燃料電池モジュール２が劣化したことが判定されるまでの間は、制御部１１０は、図１１の線Ｆ１０に従って燃料供給量を増加させる。
【００６５】
同様に、時刻ｔ１１において、要求発電量が７００Ｗから５００Ｗに変更された場合にも、制御部１１０は燃料供給量が急激に減少することがないよう、図１１の線Ｆ１０に従って緩やかに燃料供給量を減少させる。なお、燃料供給量の変化率は、供給量を増加させる場合の方が、供給量を減少させる場合よりも緩やかに設定されている。
なお、図１０及び１１は、燃料供給量に関するものであるが、空気供給量、水供給量も、要求発電量に応じて、同様に変更される。
【００６６】
次に、図９の時刻ｔ１において、制御部１１０に内蔵された劣化判定手段１１０ａ（図６）は劣化判定モードの運転を開始する。なお、劣化判定手段１１０ａは、マイクロプロセッサ、メモリ及びこれらを作動させるプログラム（以上図示せず）等により構成されている。図１２は、劣化判定手段１１０ａによる処理を示すフローチャートである。
【００６７】
図１２に示すフローチャートは、劣化判定手段１１０ａにより所定時間毎に実行される。まず、ステップＳ１においては、前回の劣化判定モードの運転からの経過時間が判断される。前回の劣化判定モード運転から所定の劣化判定間隔である２週間経過していない場合には、ステップＳ９に進み、このフローチャートの一回の処理を終了する。この処理により、劣化判定モード運転が不必要に頻繁に実行され、燃料等が浪費されるのを防止することができる。
【００６８】
前回の劣化判定モード運転から２週間以上経過している場合には、ステップＳ２に進み、固体電解質型燃料電池１の外部環境が、劣化判定モード運転に適する所定の劣化判定外気状態であるか否かが判断される。具体的には、外気温度センサ１５０（図６）及び外気湿度センサ（図示せず）によって検出された外気温及び外気の湿度が、所定の条件に適合しているか否かが判断される。本実施形態においては、外気温度５〜３０゜Ｃ、外気湿度３０〜７０％である場合に、外部環境が劣化判定モード運転に適する劣化判定外気状態であると判断される。外部環境が劣化判定外気状態でないと判断された場合には、ステップＳ９に進み、このフローチャートの一回の処理を終了する。
【００６９】
なお、この実施形態では劣化判定を２週間に１度のサイクルで行うように構成しているが、この頻度が高いということは負荷追従制御を行わずに強制的に後述する劣化判定モードに変更するため省エネという観点ではデメリットとなる。よって、性能劣化の度合いに応じて設定されることが望ましく、劣化が小さいような場合であれば半年に１回という頻度とすることが望ましい。また、運転期間が短い初期であれば劣化は少ないので１年に１回という頻度にし、運転期間が５年、１０年というように長くなるにつれて判定サイクルを短くするようなことは一層望ましい形態となる。本実施形態では非常にわかりやすい対応を例に取ったものである。
【００７０】
外部環境が劣化判定モード運転に適している場合には、ステップＳ３に進み、劣化判定モードの運転が開始される。さらに、ステップＳ４においては、燃料供給量、空気供給量、水供給量が予め定められた所定の供給量に固定される。即ち、劣化判定モード運転において、劣化判定手段１１０ａは、制御部１１０に対する要求発電量に関わらず、燃料流量調整ユニット３８、発電用空気流量調整ユニット４５、水流量調整ユニット２８が一定の供給量を維持するように、これらの調整ユニットを制御する。本実施形態においては、図９の時刻ｔ１において、劣化判定燃料供給量３Ｌ／ｍｉｎ、劣化判定酸化剤ガス供給量１００Ｌ／ｍｉｎ、劣化判定水供給量８ｍＬ／ｍｉｎに固定される。
【００７１】
これら燃料供給量、空気供給量、水供給量の固定値は、本実施形態による固体電解質型燃料電池１の定格発電量である７００Ｗを発電可能な量として予め実験によって求めた供給量である。従って、固定値により燃料、空気、水が供給されている間は、燃料電池セルの個体差もあるが固体電解質型燃料電池１は、７００Ｗの電力を出力する能力を有しているものである。しかしながら、燃料供給量等が固定されていても、燃料電池モジュール２から取り出される電力が要求発電量に応じて変化すると、燃料電池モジュール２の運転状態は十分に安定しない。このため、本実施形態においては、劣化判定モード運転中は要求発電量に関わらず、燃料電池モジュール２から電力を取り出すことはない（即ち、定格発電量に対応する燃料を供給するが、実際に発電する電力は０である）。従って、劣化判定モード運転中は、供給された燃料は発電には使用されず燃焼室１８において燃焼される。
【００７２】
なお、本実施形態においては、燃料供給量等の固定値は定格発電量に対応する値に設定されているが、これらの固定値は任意に設定することができる。好ましくは、燃料電池モジュール２が熱的に自律することができ、且つ燃料電池モジュール２の劣化の度合いにより温度が十分に大きく変化する、定格発電量に近い電力を発生可能な値に設定する。また、本実施形態においては、劣化判定モード運転中は、燃料電池モジュール２から電力を取り出していないが、劣化判定モード運転中に一定の電力が取り出されるように固体電解質型燃料電池１を構成し、燃料電池モジュール２の運転状態を安定させ、劣化判定を行うこともできる。固体電解質型燃料電池１により発電した電力を売電可能な環境においては、一定の電力が取り出されるような運転状態を容易に得ることができる。また、劣化判定モード運転中に生成された電力を消費するためのヒーター等のダミー負荷（図示せず）を固体電解質型燃料電池１に備えておき、生成された電力をこれに消費させることにより一定の電力を取り出しても良い。
【００７３】
次に、図１２のステップＳ５においては、固定値による運転が開始された後、十分な時間が経過し、安定した運転状態になったか否かが判断される。本実施形態においては、固定値による運転が開始された後、劣化判定時間である５時間が経過すると運転状態が安定し、所定の劣化判定運転条件が満足されたと判断される。固定値による運転開始後５時間経過していない場合には、ステップＳ５の処理が繰り返される。これにより、ステップＳ４において開始された固定値による運転が５時間に亘って維持される（図９、時刻ｔ１〜ｔ２）。
【００７４】
固定値による運転が５時間継続された後、図９の時刻ｔ２において、ステップＳ６に進み、発電室温度センサ１４２により測定された燃料電池セルユニット１６の温度が所定温度以上か否かが判断される。即ち、燃料電池モジュール２を安定した運転状態で運転した運転結果である燃料電池モジュール２の温度と、所定の劣化判定基準値である基準温度（燃料電池モジュール２が劣化していない状態においては定格７００Ｗの安定運転状態で発生すべき理想のスタック温度値）を比較することにより、燃料電池モジュール２の劣化を判定する。本実施形態の固体電解質型燃料電池１は、初期状態で７００Ｗの定格出力運転を行った場合の燃料電池モジュール２の基準温度Ｔ０は約７００゜Ｃであり、燃料電池モジュール２の劣化が進行すると、この温度が上昇する。これは、固体電解質型燃料電池セルである燃料電池セルユニット１６自体の劣化、及び各燃料電池セルユニット１６を電気的に接続する接点部分の劣化により燃料電池セルスタック１４の内部抵抗が増大することによるジュール熱等に起因している。
【００７５】
本実施形態においては、劣化判定手段１１０ａは、発電室温度センサ１４２により測定された温度Ｔ１が、基準温度Ｔ０よりも３０゜Ｃ以上高い場合に、燃料電池モジュール２が劣化したと判定する。燃料電池モジュール２が劣化していない場合には、ステップＳ１０に進み、このフローチャートの一回の処理を終了し、燃料供給量等の運転条件の変更は行われない。
【００７６】
燃料電池モジュール２が劣化したと判定された場合には、ステップＳ７に進み、劣化処理が開始される。ステップＳ７においては、制御部１１０に内蔵された燃料補正手段１１０ｂ（図６）による燃料供給補正が実行され、要求発電量に対する燃料供給量及び燃料供給量のゲインが変更される。即ち、燃料補正手段１１０ｂは、固体電解質型燃料電池１の使用開始後、燃料電池モジュール２が劣化したことが初めて判定された場合に、要求発電量に対する燃料供給量を、燃料供給補正により図１０の曲線Ｆ０から曲線Ｆ１又は曲線Ｆ−１に変更し、以後、曲線Ｆ１又はＦ−１を使用して燃料供給量を決定する。また、燃料供給量を変更する際の変化率は、図１１の線Ｆ１０から、より緩やかな線Ｆ１１に変更され、以後、この変化率により燃料供給量が変更される。燃料供給補正により変更された燃料供給量は、燃料電池モジュール２がさらに劣化したことが判定されるまで維持される。
【００７７】
なお、燃料供給補正を、曲線Ｆ１を使用した増量補正モードで行うか、曲線Ｆ−１を使用した減量補正モードで行うかは、後述するように、制御部１１０に内蔵されたモード選択手段１１０ｃ及び運転状態記録手段１１０ｄにより選択される。また、燃料補正手段１１０ｂ、モード選択手段１１０ｃ及び運転状態記録手段１１０ｄは、マイクロプロセッサ、メモリ及びこれらを作動させるプログラム（以上図示せず）等により構成されている。
【００７８】
ステップＳ７において燃料供給量の補正が行われた後、ステップＳ８に進み、ステップＳ８においては、補正後の燃料供給量で固体電解質型燃料電池１を運転したときの燃料電池セルユニット１６の温度Ｔ２が、発電室温度センサ１４２により測定される。測定された温度Ｔ２は、新たな基準温度Ｔ０として劣化判定手段１１０ａのメモリ（図示せず）に記憶される。この新たな基準温度Ｔ０は、次回の劣化判定の際に基準温度として使用される。好ましくは、燃料供給量の補正を実行した後、所定時間、燃料供給量を一定にして運転を行い、その後、燃料電池セルユニット１６の温度Ｔ２を測定する。これにより、補正による燃料供給量の変更の影響が排除された正確な温度を測定することができる。
【００７９】
以上の劣化処理が終了すると、劣化判定手段１１０ａは劣化判定モード運転を終了させ、制御部１１０は要求発電量に対応した通常の運転を再開する（図９、時刻ｔ２）。
【００８０】
次に、図１３及び図１４を参照して、モード選択手段１１０ｃによる補正モードの選択を説明する。図１３及び図１４は、約１年間に亘る固体電解質型燃料電池１の運転履歴を模式的に表したタイムチャートであり、上段から使用者が消費した電力（破線で示す）、固体電解質型燃料電池１が発電した電力（実線で示す）、燃料供給量、燃料電池セルユニットの温度を表している。なお、一般家庭における電力消費は、昼間に多く、夜間は少なくなる傾向があるので、図１３及び図１４に示すタイムチャートは、電力を主に消費する時間帯である朝６時から深夜０時までの運転履歴のみを取り出したものであり、運転状態記録手段１１０ｄはこのような運転履歴を約１年分記録している。
【００８１】
図１３の時刻ｔ１００〜ｔ１０３においては、使用者による消費電力が、常に固体電解質型燃料電池１の定格出力電力を上回っているので、燃料電池モジュール２には常に定格出力に対応した量の燃料が供給され、固体電解質型燃料電池１は常に定格出力電力を発電している。なお、定格出力電力が消費電力に対して不足している分は系統電力から供給される。また、時刻ｔ１０１〜ｔ１０２において、長期間の使用により燃料電池モジュール２が劣化し、同一の燃料供給量に対する出力電力が低下すると共に、燃料電池セルユニット１６の温度が上昇している。
【００８２】
次いで、図１３の時刻ｔ１０３において上述した劣化判定が実行される。時刻ｔ１０３においては、燃料電池セルユニット１６の温度Ｔ１が、初期使用における燃料電池セルユニット１６の基準温度Ｔ０よりも３０゜Ｃ以上高いので、劣化判定手段１１０ａは、燃料電池モジュール２が劣化したと判定する（図１２のステップＳ６）。
【００８３】
運転状態記録手段１１０ｄは過去１年間に亘る固体電解質型燃料電池１の昼間における運転履歴を記録しており、モード選択手段１１０ｃは、運転状態記録手段１１０ｄに記録された過去の運転状態に基づいて、自動的に増量補正モード又は減量補正モードを選択する。図１３に示す例においては、燃料電池モジュール２は常に定格出力電力を出力しているので、モード選択手段１１０ｃは増量補正モードを選択し、これにより燃料補正手段１１０ｂは燃料供給量を増量する補正を実行する。増量補正により制御部１１０は、燃料供給量を決定するための曲線を図１０の曲線Ｆ０から曲線Ｆ１に変更し、燃料供給量が増加される（図１３の時刻ｔ１０３）。燃料供給量が増加されることにより、燃料電池モジュール２の出力電力は、初期の定格出力電力まで回復される（図１３の時刻ｔ１０３〜ｔ１０４）。増量補正から所定時間経過した後の燃料電池セルユニット１６の温度は、基準温度Ｔ０として劣化判定手段１１０ａに記憶され、次回の劣化判定において使用される。
【００８４】
図１３に示す例のように、過去の運転状態において、定格出力電力を生成している時間が長い場合においては、初期の定格出力電力を維持するように、増量補正が選択される。これにより、系統電力から供給を受ける電力量を少なくし、系統電力からの電力購入コストを削減することができる。
【００８５】
一方、図１４に示す例では、運転状態記録手段１１０ｄに記録されている運転履歴において、使用者の消費電力が固体電解質型燃料電池１の定格電力を下回っている時間（図１４の時刻ｔ２０１〜ｔ２０２）が、上回っている時間（図１４の時刻ｔ２００〜ｔ２０１及びｔ２０２〜ｔ２０５）よりも長くなっている。また、図１４に示す例では、時刻ｔ２０３〜ｔ２０４において、長期間の使用により燃料電池モジュール２が劣化し、同一の燃料供給量に対する出力電力が低下すると共に、燃料電池セルユニット１６の温度が上昇している。
【００８６】
次いで、図１４の時刻ｔ２０５において劣化判定が実行される。時刻ｔ２０４においては、燃料電池セルユニット１６の温度Ｔ１が、初期使用における燃料電池セルユニット１６の基準温度Ｔ０よりも３０゜Ｃ以上高いので、劣化判定手段１１０ａは、燃料電池モジュール２が劣化したと判定する（図１２のステップＳ６）。
【００８７】
図１４に示す例のように、固体電解質型燃料電池１が定格出力未満で運転されている時間が定格出力以上で運転されている時間よりも長い場合には、劣化判定手段１１０ａが、燃料電池モジュール２が劣化したことを判定すると、モード選択手段１１０ｃは減量補正モードを選択する。これにより燃料補正手段１１０ｂは燃料供給量を減量する補正を実行する。減量補正により制御部１１０は、燃料供給量を決定するための曲線を図１０の曲線Ｆ０から曲線Ｆ−１に変更し、燃料供給量が減少される（図１４の時刻ｔ２０５）。燃料供給量が減少されることにより、燃料電池モジュール２の出力電力は低下されるが、燃料電池セルユニット１６の温度も低下される（図１４の時刻ｔ２０５〜ｔ２０７）。減量補正から所定時間経過した後の燃料電池セルユニット１６の温度（図１４の時刻ｔ２０６〜ｔ２０７における温度）は、基準温度Ｔ０として劣化判定手段１１０ａに記憶され、次回の劣化判定において使用される。
【００８８】
図１４に示す例のように、過去の運転状態において、定格出力電力未満で運転されている時間が長い場合においては減量補正が選択される。これにより、使用者が消費する電力が大きいときには系統電力から供給を受ける電力量が増大するが、そのような期間は短いため系統電力からの電力購入コストはあまり増大しない。一方、燃料供給量の減量補正により、燃料電池セルユニット１６の温度が低下するので、燃料電池モジュール２の劣化が抑制される。
【００８９】
上記のように、燃料電池モジュール２が劣化したことが、劣化判定手段１１０ａにより初めて判定されると、上述したようにモード選択手段１１０ｃは、減量補正モード又は増量補正モードの何れかを選択する。燃料電池モジュール２の劣化が初めて判定され、減量補正モードが選択された場合には、燃料供給量を決定する曲線が、燃料供給補正により図１０の曲線Ｆ０から、曲線Ｆ０に対して１０％燃料供給量が減少された曲線Ｆ−１に変更される。この燃料供給補正以後は、同一の要求発電量に対する燃料供給量が減少され、要求発電量に対して実際に出力される電力が低下する。燃料供給補正後は、初期の定格出力電力である７００Ｗの要求電力に対する燃料電池モジュール２の実際の出力電力が、低下された新たな定格出力電力とされる。燃料供給量を減少させることにより、燃料電池モジュール２の過度の温度上昇が防止される。また、劣化した燃料電池モジュール２の燃料供給量を急激に変化させると、劣化をさらに進行させることに繋がるため、燃料供給量の変化率は、より小さくされる。
【００９０】
さらに、減量補正モードにおいて、燃料電池モジュール２の劣化が進行し、燃料電池モジュール２が更に劣化したことが判定された場合には、燃料供給量は曲線Ｆ−１から曲線Ｆ−２に、さらにもう一度減量補正する場合には曲線Ｆ−２から曲線Ｆ−３に変更される。曲線Ｆ−２は曲線Ｆ０に対して２０％、曲線Ｆ−３は曲線Ｆ０に対して３０％燃料供給量が減量されている。これにより、劣化が進行している燃料電池セルユニット１６の温度が上昇して過度の負担がかかるのを防止している。また、燃料供給量のゲインも、２回目に減量補正が実行される場合には線Ｆ１１から線Ｆ１２に、３回目に減量補正が実行される場合には線Ｆ１２から線Ｆ１３に変更される。
【００９１】
一方、燃料電池モジュール２が劣化したことが初めて判定され、増量補正モード選択された場合には、燃料供給量を決定する曲線が、燃料供給補正により図１０の曲線Ｆ０から、曲線Ｆ０に対して１０％燃料供給量が増加された曲線Ｆ１に変更される。この燃料供給補正以後は、同一の要求発電量に対する燃料供給量が増加され、燃料電池モジュール２が劣化していても、初期の定格出力電力である７００Ｗが維持される。燃料供給量を増加させることにより、劣化した燃料電池モジュール２から初期使用時と同等の電力を取り出すことができる。
【００９２】
さらに、増量補正モードにおいて、燃料電池モジュール２の劣化が進行し、燃料電池モジュール２が更に劣化したことが判定された場合には、燃料供給量は曲線Ｆ１から曲線Ｆ２に、さらにもう一度増量補正する場合には曲線Ｆ２から曲線Ｆ３に変更される。曲線Ｆ２は曲線Ｆ０に対して１８％、曲線Ｆ３は曲線Ｆ０に対して２３％燃料供給量が減量されている。このように、劣化が進行に従って、燃料の増分を少なくすることにより、劣化が進行している燃料電池セルユニット１６の温度が上昇して過度の負担がかかるのを防止している。また、燃料供給量のゲインは、減量補正モードの場合と同様に、２回目に減量補正が実行される場合には線Ｆ１１から線Ｆ１２に、３回目に減量補正が実行される場合には線Ｆ１２から線Ｆ１３に変更される。
【００９３】
このように、本実施形態においては、減量補正を実行する場合、増量補正を実行する場合とも、燃料供給量の変化量は、予め設定された固定値とされている。このため、例えば、燃料電池セルユニット１６の温度上昇に基づいて燃料供給量の補正量を計算したり、出力電力の低下量に基づいて補正量を計算する場合とは異なり、大きく誤った補正がなされるのを防止することができる。即ち、燃料電池セルユニット１６の温度や、出力電力は、種々のファクターにより影響されて値が変化するので、何らかの要因により異常な温度や出力電力が測定された場合には、この値に基づいて補正量を計算すると、異常な補正が実行されることになる。
【００９４】
次に、図１５乃至図１８を参照して、燃料補正手段１１０ｂによる燃料補正の詳細を説明する。図１５はモード選択手段１１０ｃにより減量補正モードが選択された場合における固体電解質型燃料電池１の作用の一例を示すタイムチャートであり、図１６は減量補正モードによる燃料補正処理のフローチャートである。また、図１７は増量補正モードが選択された場合における作用の一例を示すタイムチャートであり、図１８は増量補正モードによる燃料補正処理のフローチャートである。
【００９５】
なお、図１５及び図１７は、横軸に時間、縦軸に出力電力、燃料供給量、及び燃料電池セルユニットの温度を示すタイムチャートであるが、図９に示したタイムチャートよりも非常に長い期間の燃料電池の運転状態を模式的に示すものである。また、タイムチャートを簡略化するために、固体電解質型燃料電池１が常に定格出力電力で運転されているものとして描かれている。また、図１６及び図１８に示すフローチャートは、図１２に示したフローチャートのステップＳ７からサブルーチンとして呼び出されるものであり、減量補正モードが選択されている場合には図１６のフローチャートが呼び出され、増量補正モードが選択されている場合には図１８のフローチャートが呼び出される。
【００９６】
まず、図１５の時刻ｔ３００において、固体電解質型燃料電池１の初期使用が開始される。この初期運転時においては、規定の燃料供給量で固体電解質型燃料電池１を運転することにより、定格出力電力が得られ、このときの温度が燃料電池セルユニット１６の初期の基準温度Ｔ０として、劣化判定手段１１０ａに記憶される。固体電解質型燃料電池１の使用期間が長くなると、燃料電池モジュール２の劣化が始まり、同一の燃料供給量に対する出力電力が低下すると共に、燃料電池セルユニット１６の温度も上昇する（図１５の時刻ｔ３０１〜ｔ３０２）。
【００９７】
次に、時刻ｔ３０３において、劣化判定が行われ、図１２に示したフローチャートが実行される。時刻ｔ３０３においては、定格出力運転時の燃料電池セルユニット１６の温度が、基準温度Ｔ０（時刻ｔ３００における温度）よりも３０゜Ｃ以上上昇しているので、燃料電池モジュール２が劣化したと判定され、図１２のステップＳ６からステップＳ７に処理が移行する。また、図１５に示す例では、モード選択手段１１０ｃにより減量補正モードが選択されている。減量補正モードが選択されたため、図１２のステップＳ７から、図１６に示すサブルーチンが呼び出される。
【００９８】
図１６のステップＳ１０１においては、切替フラグＦＬ１の値が判定される。固体電解質型燃料電池１の初期状態においては、切替フラグＦＬ１＝０に設定されているので、処理はステップＳ１０２に移行する。ステップＳ１０２おいては、時刻ｔ３０３における燃料電池セルユニット１６の温度Ｔ１が判定される。即ち、要求電力が定格電力である場合における燃料電池セルユニット１６の温度Ｔ１が、所定の補正切替条件である減量補正モードにおける補正切替温度Ｔｍａｘ１よりも低い場合にはステップＳ１０３に進み、補正切替温度Ｔｍａｘ１以上の場合にはステップＳ１０６に進む。なお、本実施形態においては、減量補正モードにおける補正切替温度Ｔｍａｘ１＝８００゜Ｃに設定されている。
【００９９】
ステップＳ１０３においては、減量補正回数カウンタの値が判定される。減量補正回数カウンタは、初期使用開始後、燃料供給量の減量補正を実行した回数を計数するカウンタである。減量補正の回数が３未満である場合にはステップＳ１０４に進み、３以上である場合にはステップＳ１０６に進む。
【０１００】
ステップＳ１０４においては、劣化した燃料電池モジュール２の劣化が進行しないように、燃料供給量が減量補正（図１５の時刻ｔ３０３）されると共に、減量補正回数カウンタが１加算される。ここで、減量補正が１回目である場合には、燃料供給量を決定する曲線は図１０の曲線Ｆ０から曲線Ｆ−１に、減量補正回数カウンタの値は０から１に変更される。また、燃料供給量の減量補正の後、所定時間経過したときの温度（図１５の時刻ｔ３０４〜ｔ３０５における温度）は、新たな基準温度Ｔ０として更新記憶される（図１２のステップＳ８）。この燃料供給量の減量補正により、固体電解質型燃料電池１が実際に出力する定格出力電力は低下し、燃料電池セルユニット１６の温度も低下する（図１５の時刻ｔ３０３〜ｔ３０５）。
【０１０１】
固体電解質型燃料電池１の使用期間がさらに経過すると、燃料電池モジュール２の更なる劣化が進行し、燃料供給量に対する出力電力が低下すると共に、燃料電池セルユニット１６の温度も上昇する（図１５の時刻ｔ３０５〜ｔ３０６）。次いで、時刻ｔ３０７において、劣化判定が行われる。時刻ｔ３０７においては、定格出力運転時の燃料電池セルユニット１６の温度が、更新された基準温度Ｔ０（時刻ｔ３０４〜ｔ３０５における温度）よりも３０゜Ｃ以上上昇しているので、劣化したことが判定され、図１２に示すフローチャートのステップＳ６からステップＳ７に処理が移行する。
【０１０２】
ここで、燃料電池モジュール２が劣化したことが最初に判定された時刻ｔ３０３において減量補正モードが選択されているので、図１２のステップＳ７では、図１６のフローチャートが呼び出され、ステップＳ１０１、Ｓ１０２、Ｓ１０３、Ｓ１０４が順に実行される。ここで、減量補正が２回目である場合には、燃料供給量を決定する曲線は図１０の曲線Ｆ−１から曲線Ｆ−２に、減量補正回数カウンタの値は１から２に変更され、燃料供給量が更に減量補正される（図１５の時刻ｔ３０７）。この燃料供給量の減量補正により、固体電解質型燃料電池１の出力電力は低下し、燃料電池セルユニット１６の温度も低下する（図１５の時刻ｔ３０７〜ｔ３０８）。
【０１０３】
更に燃料電池モジュール２の劣化が進行すると、固体電解質型燃料電池１の出力電力は低下し、燃料電池セルユニット１６の温度は上昇する（図１５の時刻ｔ３０９〜ｔ３１０）。次いで、時刻ｔ３１１において、劣化判定が行われる。
時刻ｔ３１１においては、定格出力運転時の燃料電池セルユニット１６の温度が、更新された基準温度Ｔ０（時刻ｔ３０８〜ｔ３０９における温度）よりも３０゜Ｃ以上上昇しているので、図１２に示すフローチャートのステップＳ６からステップＳ７に処理が移行する。上記のように減量補正モードが選択されているので、ステップＳ７では、図１６のフローチャートが呼び出され、ステップＳ１０１、Ｓ１０２が順に実行される。ステップＳ１０２において、時刻ｔ３１１における燃料電池セルユニット１６の温度Ｔ１は、減量補正モードにおける補正切替温度Ｔｍａｘ１を超えているので、処理はステップＳ１０６に移行する。
【０１０４】
ステップＳ１０６においては、切替フラグＦＬ１の値が０から１に変更される。切替フラグＦＬ１は、減量補正モードにおいて、燃料補正手段１１０ｂが、燃料供給量が減少されるように定格出力電力を低下させる補正を実行している状態であるか否かを示すフラグである。切替フラグＦＬ１の値が０である間は燃料供給量の減量補正が行われ、切替フラグＦＬ１の値が１に切り替えられると、以後燃料補正手段１１０ｂは、燃料供給量を増加させ、低下されている定格出力電力を維持する方向に補正を実行するようになる（図１６のステップＳ１０７）。このように、減量補正モードが選択された場合には、燃料補正手段１１０ｂは、初めに燃料供給量を減少させる補正を実行し、燃料電池モジュール２の劣化が或る程度進行して補正切替条件が満たされると、即ち、補正切替温度Ｔｍａｘ１を超えると、燃料供給量を増加させ、定格出力電力がそれ以上低下されないように補正を実行する。
【０１０５】
なお、図１５に示すタイムチャートにおいては、定格出力運転時の燃料電池セルユニット１６の温度が、補正切替温度Ｔｍａｘ１を超えることにより、切替フラグＦＬ１の値が０から１に変更されているが、燃料供給量の減量補正が過去３回行われている場合（図１６のステップＳ１０３）にも切替フラグＦＬ１の値は０から１に変更され、以後、燃料供給量を増加させる補正が実行されるようになる。
【０１０６】
次に、ステップＳ１０７においては、低下されている定格出力電力（図１５の時刻ｔ３０８〜ｔ３０９における出力電力）を維持すべく、燃料供給量を増加させる補正が実行される。具体的には、燃料補正手段１１０ｂは、予め設定されている固定値だけ燃料供給量を増加させる（図１５の時刻ｔ３１１）。この燃料供給量の増量補正により、出力電力が回復すると共に、燃料電池セルユニット１６の温度は上昇する（図１５の時刻ｔ３１１〜ｔ３１２）。
【０１０７】
さらに、ステップＳ１０８においては、燃料供給量を増量補正した後の出力電力の値（図１５の時刻ｔ３１２〜ｔ３１３の電力）が判定される。増量補正後の出力電力が、所定の下限電力Ｗｍｉｎよりも大きい場合にはステップＳ１０９に進み、図１６のフローチャートの一回の処理を終了する。出力電力が、所定の下限電力Ｗｍｉｎ以下である場合には、ステップＳ１１０に進む。
【０１０８】
使用期間がさらに経過すると、燃料電池モジュール２の更なる劣化が進行し、燃料供給量に対する出力電力が低下すると共に、燃料電池セルユニット１６の温度も上昇する（図１５の時刻ｔ３１３〜ｔ３１４）。
次いで、時刻ｔ３１４において劣化判定が行われ、燃料電池モジュール２が更に劣化していると判定された場合には、図１６のフローチャートにおいて、ステップＳ１０１、Ｓ１０７が順に実行される。ステップＳ１０７においては、燃料補正手段１１０ｂは、予め設定されている固定値だけ燃料供給量を更に増加させる（図１５の時刻ｔ３１４）。この燃料供給量の増量補正により、出力電力が回復すると共に、燃料電池セルユニット１６の温度は上昇する（図１５の時刻ｔ３１４〜ｔ３１５）。回復された出力電力（図１５の時刻ｔ３１５〜ｔ３１６における出力電力）は、下限電力Ｗｍｉｎよりも大きいのでステップＳ１０９に進み、図１６のフローチャートの一回の処理を終了する。
【０１０９】
使用期間がさらに経過すると、燃料電池モジュール２の更なる劣化が進行し、燃料供給量に対する出力電力が低下すると共に、燃料電池セルユニット１６の温度も上昇する（図１５の時刻ｔ３１６〜ｔ３１７）。
次いで、時刻ｔ３１７において劣化判定が行われ、燃料電池モジュール２が更に劣化していると判定された場合には、図１６のフローチャートにおいて、ステップＳ１０１、Ｓ１０７が順に実行される。ステップＳ１０７においては、燃料補正手段１１０ｂは、燃料供給量を更に増加させる（図１５の時刻ｔ３１７）。しかしながら、燃料電池モジュール２の劣化が進行しているため、出力電力は回復することなく、燃料電池セルユニット１６の温度のみが上昇する（図１５の時刻ｔ３１７〜ｔ３１８）。
【０１１０】
次いで、ステップＳ１０８において、増量補正後の出力電力（図１５の時刻ｔ３１８における出力電力）が下限電力Ｗｍｉｎと比較される。時刻ｔ３１８における出力電力は下限電力Ｗｍｉｎ以下であるので、ステップＳ１１０に進む。ステップＳ１１０において、制御部１１０は、警報装置１１６に信号を送って、固体電解質型燃料電池１の製品寿命が到来したことを使用者に報知すると共に、燃料電池モジュール２の運転を停止する。
【０１１１】
次に、図１７及び１８を参照して、増量補正モードが選択された場合における本実施形態の固体電解質型燃料電池１の作用を説明する。なお、図１８に示すフローチャートは図１６に示したフローチャートとほぼ同じであり、図１８のステップＳ２０２において燃料電池セルユニット１６の温度Ｔ１が増量補正モードにおける補正切替温度Ｔｍａｘ２と比較される点、ステップＳ２０４において燃料供給量が増量補正される点、及びステップＳ２０８において燃料供給量が減量補正される点が、図１６とは異なっている。なお、本実施形態においては、増量補正モードにおける補正切替温度Ｔｍａｘ２は９００゜Ｃに設定されている。
【０１１２】
図１７の時刻ｔ４００において、固体電解質型燃料電池１の初期使用が開始される。時刻ｔ４０１において燃料電池モジュール２が劣化したことが初めて判定され、モード選択手段１１０ｃにより増量補正モードが選択される。これにより、図１２のステップＳ７から図１８のフローチャートが呼び出される。図１８のフローチャートでは、ステップＳ２０１、Ｓ２０２、Ｓ２０３、Ｓ２０４が順に実行され、燃料補正手段１１０ｂにより燃料供給量の増量補正が実行される（図１８のステップＳ２０４）。これにより、燃料供給量を決定する曲線は図１０の曲線Ｆ０から曲線Ｆ１に、増量補正回数カウンタの値は０から１に変更される。
【０１１３】
さらに劣化が進行した図１７の時刻ｔ４０２において、劣化判定手段１１０ａは、燃料電池モジュール２の２回目の劣化を判定し、燃料補正手段１１０ｂにより燃料供給量の２回目の増量補正が実行される。これにより、燃料供給量を決定する曲線は図１０の曲線Ｆ１から曲線Ｆ２に変更される。また、時刻ｔ４０３において、燃料電池モジュール２の３回目の劣化が判定され、燃料供給量の３回目の増量補正が実行される。これにより、燃料供給量を決定する曲線は図１０の曲線Ｆ２から曲線Ｆ３に変更される。
【０１１４】
次いで、図１７の時刻ｔ４０４において、燃料電池モジュール２の４回目の劣化が判定され、図１２のステップＳ７から図１８のフローチャートが呼び出される。時刻ｔ４０４においては過去３回増量補正が実行されているので、図１８のフローチャートでは、ステップＳ２０１、Ｓ２０２、Ｓ２０３、Ｓ２０６が順に実行され、切替フラグＦＬ２の値が０から１に変更される。次に、ステップＳ２０７において、燃料補正手段１１０ｂにより燃料供給量の減量補正が実行される（図１７の時刻ｔ４０４）。切替フラグＦＬ２の値が１に変更されたため、以後、劣化判定手段１１０ａにより燃料電池モジュール２が劣化したことが判定されると、燃料供給量の減量補正が実行される。この劣化判定及び燃料供給量の減量補正は、減量補正モードの場合と同様に、補正後の出力電力が所定の下限電力Ｗｍｉｎを下回るまで繰り返される。
【０１１５】
本発明の実施形態の固体電解質型燃料電池によれば、モード選択手段が増量補正モード又は減量補正モードを選択するので、燃料電池の使用状況に応じて適切な補正モードを選択することができ、これにより、実用的な出力電力を維持しながら、製品寿命を延長することができる。
【０１１６】
また、本実施形態の固体電解質型燃料電池によれば、モード選択手段が運転状態記録手段に記録された過去の運転状態に基づいて補正モードを選択するので、自動的に適切な補正モードを選択することができる。
【０１１７】
さらに、本実施形態の固体電解質型燃料電池によれば、増量補正モードが選択された場合において、増量補正が実行された後、補正切替条件が満たされると、燃料電池モジュールの定格出力電力を低下させる補正が実行されるので、初期の定格出力を最大限維持した後、燃料電池モジュールの負担を軽減して、燃料電池の製品寿命を更に延長することができる。
【０１１８】
また、本実施形態の固体電解質型燃料電池によれば、減量補正モードが選択された場合において、減量補正が実行された後、補正切替条件が満たされると、低下された定格出力電力を維持するように燃料供給量が増加されるので、燃料電池モジュールにかかる負担を軽減して、劣化の進行を十分に抑制した上で、実用上最小限の出力電力を確保できる期間を更に延長することができる。
【０１１９】
以上、本発明の好ましい実施形態を説明したが、上述した実施形態に種々の変更を加えることができる。上述した実施形態においては、モード選択手段１１０ｃは、燃料電池モジュール２が劣化したことが初めて判定された時点までの全ての運転履歴に基づいて、増量補正モード又は減量補正モードを選択していたが、変形例として直近の運転履歴に基づいて補正モードを選択するように本発明を構成することもできる。
【０１２０】
図１９に示すタイムチャートの例では、時刻ｔ５００において初期使用が開始され、１０年経過後の時刻ｔ５０１頃までは固体電解質型燃料電池１の定格電力以上の電力が消費され、その後、使用者の家族構成等の変化により、消費電力が少なくなっている。ここで、時刻ｔ５０１から１年経過後の時刻ｔ５０５において、劣化判定手段１１０ａが燃料電池モジュール２が劣化したことを判定すると、上述した実施形態においては、消費電力が定格電力以上である期間が、消費電力が少ない期間よりも短いので、モード選択手段１１０ｃにより増量補正モードが選択される。本変形例においては、図１９の時刻ｔ５０１からｔ５０５までの直近の１年間の運転状態に基づいて補正モードが選択されるので、モード選択手段１１０ｃにより減量補正モードが選択される。これにより、図１９の時刻ｔ５０５において減量補正が実行され、定格電力が低下される。
【０１２１】
本変形例によれば、直近の所定期間の運転状態に基づいて補正モードが選択されるので、初期使用開始以後、使用者による電力消費の傾向が変化した場合においても、劣化判定以後の適切な補正モードを選択することができる。
【０１２２】
また、上述した実施形態においては、補正モードは、制御部に内蔵されたモード選択手段１１０ｃにより自動的に選択されていたが、変形例として、増量補正モード又は減量補正モードを選択するためのモード選択用の操作装置１１２を設けておき、この操作装置１１２を操作することにより補正モードを選択することができるように、本発明を構成することもできる。
【０１２３】
この場合において、モード選択用の操作装置１１２は、固体電解質型燃料電池の工場出荷時において任意に設定できるように構成することができる。このように構成された変形例においては、固体電解質型燃料電池の設置場所に応じて、予め適切な補正モードを選択しておくことができる。
【０１２４】
或いは、モード選択用の操作装置１１２は、最初に燃料電池モジュールが劣化したことが判定されたとき、使用者により操作可能に構成することもできる。このように構成された変形例においては、使用者が予想する今後の電気の使用状況に応じて、適切な補正モードを選択することができる。
【０１２５】
また、上述した実施形態においては、燃料電池モジュールが劣化したことが初めて判定されたとき、モード選択手段により補正モードの選択が１回だけ行なわれているが、変形例として、補正モードの選択を複数回行うように本発明を構成することもできる。例えば、燃料電池モジュールが劣化したことが所定回数判定される毎に補正モードの選択が行われるように本発明を構成することができる。
【０１２６】
このように構成された変形例によれば、補正モードが一旦選択された後、使用者による電力の需要傾向が変化した場合に、適切な補正モードを選択し直すことができる。
【符号の説明】
【０１２７】
１  固体電解質型燃料電池
２  燃料電池モジュール
４  補機ユニット
８  密封空間
１０  発電室
１２  燃料電池セル集合体
１４  燃料電池セルスタック
１６  燃料電池セルユニット（固体電解質型燃料電池セル）
１８  燃焼室
２０  改質器
２２  空気用熱交換器
２４  水供給源
２６  純水タンク
２８  水流量調整ユニット（水供給手段）
３０  燃料供給源
３８  燃料流量調整ユニット（燃料供給手段）
４０  空気供給源
４４  改質用空気流量調整ユニット
４５  発電用空気流量調整ユニット（酸化剤ガス供給手段）
４６  第１ヒータ
４８  第２ヒータ
５０  温水製造装置
５２  制御ボックス
５４  インバータ
８３  点火装置
８４  燃料電池セル
１１０  制御部
１１０ａ  劣化判定手段
１１０ｂ  燃料補正手段
１１０ｃ  モード選択手段
１１０ｄ  運転状態記録手段
１１２  操作装置
１１４  表示装置
１１６  警報装置
１２６  電力状態検出センサ
１４２  発電室温度センサ（温度検出手段）
１５０  外気温度センサ
【図１】
2010238616.tif 000003
【図２】
2010238616.tif 000004
【図３】
2010238616.tif 000005
【図４】
2010238616.tif 000006
【図５】
2010238616.tif 000007
【図６】
2010238616.tif 000008
【図７】
2010238616.tif 000009
【図８】
2010238616.tif 000010
【図９】
2010238616.tif 000011
【図１０】
2010238616.tif 000012
【図１１】
2010238616.tif 000013
【図１２】
2010238616.tif 000014
【図１３】
2010238616.tif 000015
【図１４】
2010238616.tif 000016
【図１５】
2010238616.tif 000017
【図１６】
2010238616.tif 000018
【図１７】
2010238616.tif 000019
【図１８】
2010238616.tif 000020
【図１９】
2010238616.tif 000021